(57)【要約】      （修正有）【課題】取付施工場所に対する取付工程の自由度が高く、しかも配管時の作業性が高いサドルバンドを提供する。【解決手段】取付面に取り付けられる基台部と、配管を抱持する略Ｃ字状バンド部を有する抱持部と、略Ｃ字状バンド部のＣ字側方の開放部を閉塞する補完バンド部を有する補完抱持部と、を有し、略Ｃ字状バンド部の弾性変形を利用して配管をＣ字側方の開放部から挿通して抱持させた後、開放部を補完バンド部により閉塞して配管を抱持支持する構成であって、基台部、抱持部、補完抱持部が着脱可能な別体構成であり、基台部には第１蟻溝が形成され、抱持部には第１蟻溝に係合する第１蟻ほぞが形成されると共に第２蟻溝が形成され、補完抱持部には第２蟻溝に係合する第２蟻ほぞが形成され、基台部に抱持部を取付けると共に、抱持部に補完抱持部を取付けることによって、略Ｃ字状バンド部と補完バンド部とにより配管の外周面を抱持する構成である。【選択図】図１
2020003001.tif 000002
【特許請求の範囲】
【請求項１】
取付孔を用いて取付面に取り付けられる基台部と、配管を抱持する略Ｃ字状バンド部を有する抱持部と、前記略Ｃ字状バンド部のＣ字側方の開放部を閉塞して配管抱持の欠落部分を補完して抱持する補完バンド部を有する補完抱持部と、を有して成り、前記略Ｃ字状バンド部の弾性変形を利用して配管をＣ字側方の開放部から挿通して抱持させた後、前記開放部を前記補完バンド部により閉塞して配管を抱持支持する構成のサドルバンドであって、
前記基台部に対して、抱持部が着脱可能な別体構成であると共に、抱持部に対して補完抱持部が着脱可能な別体構成であり、
前記基台部には、上面部に開口溝を有すると共に上面部の縁辺から側面部に連通した開口端部を有する第１蟻溝が形成され、
前記抱持部には、台座部と、該台座部の上面部に設けられた前記略Ｃ字状バンド部と、該台座部の下面部に設けられて前記基台部の側面方向から前記第１蟻溝に係合する第１蟻ほぞと、を有すると共に、台座部の側面部に開口端部を有する第２蟻溝が形成され、
前記補完抱持部には、前記台座部の側面方向から前記第２蟻溝に係合する第２蟻ほぞが前記補完バンド部の下方側面部に形成され、
前記基台部に抱持部を取付けると共に、該抱持部に補完抱持部を取付けることによって、略Ｃ字状バンド部と補完バンド部とにより配管の全外周面を抱持する構成であること、
を特徴とするサドルバンド。
【請求項２】
前記第１蟻溝が二つ形成されており、二つの第１蟻溝の係合方向が基台部を上面視した際に交差する構成であることを特徴とする請求項１に記載のサドルバンド。
【請求項３】
前記第１蟻溝に係合した第１蟻ほぞを任意の位置に固定保持する第１固定保持部を有することを特徴とする請求項１又は２に記載のサドルバンド。
【請求項４】
前記第１固定保持部が、第１蟻溝の内周面及び／又は第１蟻ほぞの外周面に設けられた構成であることを特徴とする請求項３に記載のサドルバンド。
【請求項５】
前記第１固定保持部が、凸部若しくは凹部又は凸部と凹部との組合せから成る構成であることを特徴とする請求項３又は４に記載のサドルバンド。
【請求項６】
前記第１蟻溝の開口端部が、該第１蟻溝の一方の端部にのみ設けられた構成であることを特徴とする請求項１〜５のいずれかに記載のサドルバンド。
【請求項７】
前記第１蟻溝の開口端部が、該第１蟻溝の両方の端部に設けられた構成であることを特徴とする請求項１〜５のいずれかに記載のサドルバンド。
【請求項８】
前記第２蟻溝に係合した第２蟻ほぞを任意の位置に固定保持する第２固定保持部を有することを特徴とする請求項１〜７のいずれかに記載のサドルバンド。
【請求項９】
前記第２固定保持部が、第２蟻溝の内周面及び／又は第２蟻ほぞの外周面に設けられた構成であることを特徴とする請求項８に記載のサドルバンド。
【請求項１０】
前記第２固定保持部が、凸部又は凸部と凹部との組合せから成る構成であることを特徴とする請求項８又は９に記載のサドルバンド。
【発明の詳細な説明】
【技術分野】
【０００１】
本発明はサドルバンドに関し、詳しくは天井面・壁面・床面の如き取付面に沿って配管を支持固定するサドルバンドに関する。
【背景技術】
【０００２】
建物等の設備工事において、ガス管・給水管・給湯管等の配管類を、天井面・壁面・床面等の取付面に沿って支持固定する配管支持具としてサドルバンドが知られている。サドルバンドは、配管軸直交方向における両側で固定する両押さえ式タイプを両サドルと呼び、片側で固定する片押さえ式タイプを片サドルと呼んでいる。
【０００３】
片サドルは、一般的に逆さＵ字状の抱持部の下方開放部から該抱持部内に配管を抱持させた後、抱持部の一端から連設されて取付面に沿って延伸する固定端部をボルト等の固定部材によって取付面に固定することにより配管を支持固定する構成である。
【０００４】
片サドルは極めて簡易な構成によって取付面に配管を容易に支持固定することができるが、支持固定状態では抱持部下方の開放部が取付面によって閉塞されるため、取付面に支持固定した状態では配管の着脱を行うことが難しい。配管の着脱を行うには、片サドルを取付面から取り外して抱持部下方を開放させた状態にしなければならない。
【０００５】
そこで、抱持部のバンド部を略Ｃ字状構成とし、この略Ｃ字状バンド部の弾性変形を利用してＣ字側方の開放部を拡開することによって取付面に片サドルを取付けた状態のまま配管の着脱を可能とする配管時の作業性が高い技術が提案されている（特許文献１参照）。
【先行技術文献】
【特許文献】
【０００６】
【特許文献１】特開２０１７−０８９７５０号
【発明の概要】
【発明が解決しようとする課題】
【０００７】
特許文献１の技術では、配管を抱持する保持部とは別に該保持部に連設する取付部に設けられた取付孔が配管軸中心の下方に位置しているために取付面への取付方向に制限がある。従って、配管を支持固定させる施工場所が既に他の配管類が近接して既設されていたり、ボルト固定するための取付孔の位置確保が困難である狭小箇所であったり等、施工環境によってサドルバンドの取付けに制約が生じることがあるという問題点を有している。
【０００８】
そこで本発明の課題は、取付施工場所に対する取付工程の自由度が高く、しかも配管時の作業性が高いサドルバンドを提供することにある。
本発明のその他の課題は、以下の説明によって明らかである。
【課題を解決するための手段】
【０００９】
上記課題を解決する本発明は下記構成を有する。
【００１０】
１．取付孔を用いて取付面に取り付けられる基台部と、配管を抱持する略Ｃ字状バンド部を有する抱持部と、前記略Ｃ字状バンド部のＣ字側方の開放部を閉塞して配管抱持の欠落部分を補完して抱持する補完バンド部を有する補完抱持部と、を有して成り、前記略Ｃ字状バンド部の弾性変形を利用して配管をＣ字側方の開放部から挿通して抱持させた後、前記開放部を前記補完バンド部により閉塞して配管を抱持支持する構成のサドルバンドであって、
前記基台部に対して、抱持部が着脱可能な別体構成であると共に、抱持部に対して補完抱持部が着脱可能な別体構成であり、
前記基台部には、上面部に開口溝を有すると共に上面部の縁辺から側面部に連通した開口端部を有する第１蟻溝が形成され、
前記抱持部には、台座部と、該台座部の上面部に設けられた前記略Ｃ字状バンド部と、該台座部の下面部に設けられて前記基台部の側面方向から前記第１蟻溝に係合する第１蟻ほぞと、を有すると共に、台座部の側面部に開口端部を有する第２蟻溝が形成され、
前記補完抱持部には、前記台座部の側面方向から前記第２蟻溝に係合する第２蟻ほぞが前記補完バンド部の下方側面部に形成され、
前記基台部に抱持部を取付けると共に、該抱持部に補完抱持部を取付けることによって、略Ｃ字状バンド部と補完バンド部とにより配管の全外周面を抱持する構成であること、
を特徴とするサドルバンド。
【００１１】
２．前記第１蟻溝が二つ形成されており、二つの第１蟻溝の係合方向が基台部を上面視した際に交差する構成であることを特徴とする上記１に記載のサドルバンド。
【００１２】
３．前記第１蟻溝に係合した第１蟻ほぞを任意の位置に固定保持する第１固定保持部を有することを特徴とする上記１又は２に記載のサドルバンド。
【００１３】
４．前記第１固定保持部が、第１蟻溝の内周面及び／又は第１蟻ほぞの外周面に設けられた構成であることを特徴とする上記３に記載のサドルバンド。
【００１４】
５．前記第１固定保持部が、凸部若しくは凹部又は凸部と凹部との組合せから成る構成であることを特徴とする上記３又は４に記載のサドルバンド。
【００１５】
６．前記第１蟻溝の開口端部が、該第１蟻溝の一方の端部にのみ設けられた構成であることを特徴とする上記１〜５のいずれかに記載のサドルバンド。
【００１６】
７．前記第１蟻溝の開口端部が、該第１蟻溝の両方の端部に設けられた構成であることを特徴とする上記１〜５のいずれかに記載のサドルバンド。
【００１７】
８．前記第２蟻溝に係合した第２蟻ほぞを任意の位置に固定保持する第２固定保持部を有することを特徴とする上記１〜７のいずれかに記載のサドルバンド。
【００１８】
９．前記第２固定保持部が、第２蟻溝の内周面及び／又は第２蟻ほぞの外周面に設けられた構成であることを特徴とする上記８に記載のサドルバンド。
【００１９】
１０．前記第２固定保持部が、凸部又は凸部と凹部との組合せから成る構成であることを特徴とする上記８又は９に記載のサドルバンド。
【発明の効果】
【００２０】
請求項１に示す発明によれば、取付施工場所に対する取付工程の自由度が高く、しかも配管時の作業性が高いサドルバンドを提供することができる。
【００２１】
特に、取付面に取付けられる基台部と配管を抱持する抱持部と抱持部の開放部を閉塞する補完バンド部とが別体構成であるため、抱持部を基台部に取付けた状態のまま該基台部を取付面に取付けてから抱持部及び補完抱持部に配管を抱持させたり、或いは基台部のみを取付面に取付け、抱持部及び補完抱持部に予め配管を抱持させてから抱持した配管と共に抱持部及び補完抱持部を基台部に取付けたり、取付作業工程の汎用性が高いので、取付施工場所の状況に応じて種々の取付工程を採ることができる。
特にまた、略Ｃ字状バンド部のＣ字側方の開放部を閉塞して配管抱持の欠落部分を補完して抱持する補完バンド部を有する補完抱持部を抱持部の台座部に取付けるため、配管の全外周面を抱持することができる。即ち、抱持部と補完抱持部の２つの部材を組合せた状態で基台部に取付けられることによって、配管を略Ｃ字状バンド部と補完バンド部とによって配管抱持部に開放部分が生じることなく抱持支持することができる。
【００２２】
請求項２に示す発明によれば、抱持部の第１蟻ほぞを係合させる第１蟻溝が基体部に二つ設けられているので、基台部の取付面への取付向きと合わせて抱持部の抱持方向を変えることができるので、取付施工場所の状況に応じて種々の取付方向に対応することができる。
【００２３】
請求項３又は４に示す発明によれば、基台部に抱持部を容易に位置固定することができる。
【００２４】
請求項５に示す発明によれば、第１蟻溝や第１蟻ほぞ部分に凸部や凹部を設けるだけで基台部に抱持部を極めて容易に位置固定することができる。
【００２５】
請求項６に示す発明によれば、第１蟻溝に係合した第１蟻ほぞの固定位置を該第１蟻溝の最奥部に設定することにより固定位置を容易に決めることができる。
【００２６】
請求項７に示す発明によれば、基台部に対する抱持部の係合向きに加えて、基台部に対して対向する位置の両方向から抱持部を取付けることができるので、取付施工場所の状況に応じて種々の取付方向や係合向きに対応することができる。
【００２７】
請求項８又は９に示す発明によれば、抱持部に補完抱持部を容易に位置固定することができる。
【００２８】
請求項１０に示す発明によれば、第２蟻溝や第２蟻ほぞ部分に凸部や凹部を設けるだけで抱持部に補完抱持部を極めて容易に位置固定することができる。
【図面の簡単な説明】
【００２９】
【図１】本発明に係るサドルバンドの実施例を示す分散斜視図
【図２】図１に示すサドルバンドの係合後の状態を示す左側面図
【図３】図１に示すサドルバンドの抱持部を示す７面図（正面図、平面図、左側面図、背面図、底面図、Ａ−Ａ線断面図、Ｂ−Ｂ線断面図）
【図４】図１に示すサドルバンドの補完抱持部を示す５面図（正面図、平面図、左側面図、背面図、底面図）
【図５】図３に示す抱持部と図４に示す補完抱持部とを組み合わせた状態を示す５面図（正面図、平面図、左側面図、背面図、底面図）
【図６】図１に示すサドルバンドの基台部を示す５面図（正面図、平面図、左側面図、底面図、Ｃ−Ｃ線断面図）
【図７】基台部の他の実施例を示す平面図
【図８】基台部の更に他の実施例を示す平面図
【図９】基台部の更に他の実施例を示す平面図
【図１０】固定保持部の一例を説明する要部断面図
【図１１】固定保持部の他の例を説明する要部断面図
【図１２】第１蟻溝と第１蟻ほぞの他の例を示す要部正面図
【発明を実施するための形態】
【００３０】
次に、添付の図面に従って本発明を詳細に説明する。
【００３１】
本発明に係るサドルバンドは、建物等の設備工事においてガス管・給水管・給湯管等の配管類を天井面・壁面・床面等の取付面に沿って支持固定するものであり、配管軸直交方向における主として片側で固定する片押さえ式タイプ（片サドル）のものである。
【００３２】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管その他の管類を排除するものではない。
【００３３】
本発明のサドルバンドの具体的構成としては、図１〜図３に示す実施例によれば、
取付孔２２を用いて取付面に取り付けられる基台部２と、配管Ｐを抱持する略Ｃ字状バンド部３１を有する抱持部３と、前記略Ｃ字状バンド部３１のＣ字側方の開放部を閉塞して配管抱持の欠落部分を補完して抱持する補完バンド部５１を有する補完抱持部５と、を有して成り、前記略Ｃ字状バンド部３１の弾性変形を利用して配管ＰをＣ字側方の開放部から挿通して抱持させた後、前記開放部を前記補完バンド部５１により閉塞して配管Ｐを抱持支持する構成のサドルバンド１であって、
前記基台部２に対して、抱持部３が着脱可能な別体構成であると共に、抱持部３に対して補完抱持部５が着脱可能な別体構成であり、
前記基台部２には、上面部に開口溝を有すると共に上面部の縁辺から側面部に連通した開口端部を有する第１蟻溝２１が形成され、
前記抱持部３には、台座部３０と、該台座部３０の上面部に設けられた前記略Ｃ字状バンド部３１と、該台座部３０の下面部に設けられて前記基台部１の側面方向から前記第１蟻溝２１に係合する第１蟻ほぞ３２と、を有すると共に、台座部３０の側面部に開口端部を有する第２蟻溝３３が形成され、
前記補完抱持部５には、前記台座部３０の側面方向から前記第２蟻溝３３に係合する第２蟻ほぞ５２が前記補完バンド部５１の下方側面部に形成され、
前記基台部２に抱持部３を取付けると共に、該抱持部３に補完抱持部５を取付けることによって、略Ｃ字状バンド部３１と補完バンド部５１とにより配管Ｐの全外周面を抱持する構成であること、
を主構成とするものである。
【００３４】
以下、本発明の構成について更に詳説する。
【００３５】
本発明のサドルバンド１は、この種のサドルバンドに用いられる可撓性を有する合成樹脂として公知公用のものを特別の制限なく用いることができ、好ましくはポリプロピレンやＡＢＳ樹脂である。
【００３６】
取付面に基台部２を取付固定するためのボルト等の固定部材を挿通する取付孔２２は、基台部２の側方に連設された固定端部２３に形成されている。固定端部２３は、本実施例では基台部２の配管軸方向両側に連設されているが、両側に限定されず、いずれか一方の片側でもよいし、或いは配管軸直交方向の片側又は両側に連設されていてもよい。
【００３７】
抱持部３の略Ｃ字状バンド部３１は、そのＣ字側方の開放部が拡開することにより配管Ｐを側方から圧入することにより抱持支持させることができる。略Ｃ字状バンド部３１のＣ字側方の開放部の間隔は、弾性変形によって該開放部を拡開した際に配管Ｐを圧入可能な間隔であって且つ配管Ｐを抱持支持した後は該配管Ｐにウォーターハンマー現象等による振動が発生した場合であっても脱落し難い間隔であることが好ましい。開放部からの圧入によって略Ｃ字状バンド部３１に配管Ｐを抱持させた後、前記開放部を補完抱持部５の補完バンド部５１によって閉塞することにより、配管Ｐは外周面の全周に亘って抱持支持されることになる。
【００３８】
補完バンド部５１を有する補完抱持部５は、補完バンド部５１の下方側面部に設けられた第２蟻ほぞ５２を抱持部３の台座部３０に形成された第２蟻溝３３に係合させることにより、該抱持部３に取付けることができる。この補完抱持部５の抱持部３への取付けにより、略Ｃ字状バンド部３１と補完バンド部５１とが組合されることになって配管Ｐの外周面を全周に亘って抱持することができる。この状態で抱持部３を、その下面部に設けられた第１蟻ほぞ３２を基台部２の第１蟻溝２１に係合させることにより、基台部２に取付けることができる。この抱持部３の基台部２への取付けにより、該基台部２には抱持部３と補完抱持部５とが組み合わされた状態で取り付けられることになる。
【００３９】
基台部２と抱持部３との着脱可能な取付構成としては、上記したように基台部２に設けられた第１蟻溝２１に、抱持部３に設けられた第１蟻ほぞ３２が係合すること、更に、抱持部３と補完抱持部５との着脱可能な取付構成としては、同様に上記したように抱持部３に設けられた第２蟻溝３３に、補完抱持部５に設けられた第２蟻ほぞ５２が係合すること、即ち、二つの係合が共に木材継ぎ手構造の「蟻継ぎ」と同様の構成により取付けられる。本発明における第１蟻溝２１と第１蟻ほぞ３２との係合、第２蟻溝３３と第２蟻ほぞ５２との係合は、木材継ぎ手構造の「蟻継ぎ」と同様に圧入状態で密に係合することにより結合させる構成としてもよいし、手指等によって押し込むことができる摺動状態で係合する構成としてもよい。摺動状態で係合する構成の場合、ウォーターハンマー現象等による振動によって係合が外れたり位置ズレが生じることがないように接着や粘着等の止着手段により固定したり、或いは結束バンド等による緊締によって固定することも好ましい。尚、基台部２と抱持部３、抱持部３と補完抱持部５とを、各々分離するには、特に圧入によって密に係合している場合にはマイナスドライバー等の治具を用いることが好ましく、この場合、基台部２と抱持部３との境界部分のいずれか一方又は両方や、抱持部３と補完抱持部５との境界部分のいずれか一方又は両方に治具先端部を差し込める凹部が形成されることが好ましい。
【００４０】
上記構成の基台部２と抱持部３及び補完抱持部５とを有して成る本発明のサドルバンド１は、取付面に取付けられる基台部２と配管Ｐを抱持する抱持部３及び補完抱持部５とが別体構成であるため、抱持部３を基台部２に取付けた状態のまま該基台部２を取付面に取付けてから抱持部３に配管Ｐを抱持させたり、或いは基台部２のみを取付面に取付け、抱持部３に予め配管Ｐを抱持させてから抱持した配管Ｐと共に抱持部３を基台部２に取付けたり、取付作業工程の汎用性が高いので、取付施工場所の状況に応じて種々の取付工程を採ることができる。いずれの場合においても、補完抱持部５は抱持部３の略Ｃ字状バンド部３２に配管Ｐを抱持させた後に取付けられる。
また、基台部２に抱持部３を取付ける際に、取付施工場所の状況に応じて図１に矢符Ｘ方向からの取付けに限らず、例えば、矢符Ｘ側が壁面であったり或いは設備機器が既設されている等のように矢符Ｘ側からの取付けが困難乃至は不可能な場合であっても、矢符Ｘ方向とは逆方向から取付けることができる。
【００４１】
以上、本発明に係るサドルバンドの実施例について説明したが、本発明は上記構成に限定されず、本発明の範囲内において種々の態様を採ることができる。
【００４２】
例えば、図７に示す態様のように、第１蟻溝２１が二つ形成され、二つの第１蟻溝２１・２１の係合方向が基台部２を上面視した際に交差する構成とすることもできる。かかる構成によれば、抱持部３の第１蟻ほぞ３２を係合させる第１蟻溝２１・２１が基台部２に二つ設けられているので、基台部２の取付面への取付向きと合わせて抱持部３の抱持方向を変えることができるので、取付施工場所の状況に応じて種々の取付方向に対応することができる。
【００４３】
また、図１及び図６に示す実施例の第１蟻溝２１は、開口端部が該第１蟻溝２１の両方の端部に設けられた構成、即ち、第１蟻溝２１が基台部２の全幅に亘って形成された構成であるが、本発明はかかる構成に限らず、図８に示す態様のように、第１蟻溝２１の開口端部が、該第１蟻溝２１の一方の端部にのみ設けられた構成とすることもできる。かかる構成によれば、基台部２に対する抱持部３の取付方向が一方からのみに限定されるが、第１蟻溝２１に係合した第１蟻ほぞ３２の固定位置を該蟻溝２１の最奥部に設定することにより固定位置を容易に決めることができる。
【００４４】
また、図９に示す態様のように、第１蟻溝２１が二つ形成されており、二つの第１蟻溝２１・２１の係合方向が基台部２を上面視した際に交差する構成であって、且つ、各々の第１蟻溝２１・２１の開口端部が、各々の第１蟻溝２１・２１の一方の端部にのみ設けられた構成とすることもできる。かかる構成によれば、基台部２の取付面への取付向きと合わせて抱持部３の抱持方向を変えることができるので、取付施工場所の状況に応じて種々の取付方向に対応することができると共に、基台部２に対する抱持部３の取付方向が一方からのみに限定されるが、第１蟻溝２１に係合した蟻ほぞ３２の固定位置を該第１蟻溝２１の最奥部に設定することにより固定位置を容易に決めることができる。
【００４５】
更に、図１０に示す態様のように、第１蟻溝２１に係合した第１蟻ほぞ３２、第２蟻溝３３に係合した第２蟻ほぞ５２の各々を任意の位置に固定保持する固定保持部４・６が設けられた構成とすることもできる。該固定保持部４・６は、第１蟻溝２１・第２蟻溝３３の内周面の一部にスロープ状の段差となる凸部を設け、この段差となる凸部を第１蟻ほぞ３２・第２蟻ほぞ５２が乗り越えることにより後戻りを防止する構成である。かかる構成によれば、第１蟻溝２１と第１蟻ほぞ３２・第２蟻溝３３と第２蟻ほぞ５２との各々の係合を木材継ぎ手構造の「蟻継ぎ」と同様に圧入状態で密に係合することにより結合させる構成とは異なり、手指等で摺動させて係合させることによっても基台部２に抱持部３を、抱持部３に補完抱持部５を、各々位置固定することができるので、作業性が良好となる。図１０に示す態様では、固定保持部４を２箇所に設けることによって２つの固定保持部４・４間に第１蟻ほぞ３２を位置固定することができる。尚、固定保持部４としては、段差となる凸部に代えて第１蟻溝２１に凹部を形成し、この凹部に第１蟻ほぞ３２の下端部分が落とし込まれることにより固定保持される構成とすることもできる。
【００４６】
尚、固定保持部４・６は図１０に示す第１蟻溝２１・第２蟻溝３３に設けた構成に限らず、第１蟻ほぞ３２・第２蟻ほぞ５２に設けることもできる。図１１に示す態様では、第１蟻溝２１に凹部４１を設け、該凹部４１に係合する凸部４２を第１蟻ほぞ３２に設け、更に第２蟻溝３３に凹部６１を設け、該凹部６１に係合する凸部６２を第２蟻ほぞ５２に設け、この凹部４１・６１と凸部４２・６２との組合せから成る固定保持部としている。尚、第１蟻溝２１に凸部４２、第１蟻ほぞ３２に凹部４１、第２蟻溝３３に凸部６２、第２蟻ほぞ５２に凹部６１を設けてもよい。
【００４７】
固定保持部４・６は、基台部２に取付けられた抱持部３、抱持部３に取付けられた補完抱持部５の各々の取付固定位置を保持できる構成であればよく、その形成位置は、基台部２と抱持部３、抱持部３と補完抱持部５、が各々接触する位置であることが好ましく、より好ましくは第１蟻溝２１・第２蟻溝３３の内周面及び／又は第１蟻ほぞ３２・第２蟻ほぞ５２の外周面に設けられることである。
【００４８】
また、図１〜図６に示す実施例の第１蟻溝２１及び第１蟻ほぞ３２・第２蟻溝３３・第２蟻ほぞ５２の断面形状は鳩尾形（台形）であるが、蟻継ぎと同様の係合構成であれば、図１１に示すような凸形であってもよい。また、凸形の場合下方の矩形部分が円形や四角形等の矩形であっても同様の係合構成を得ることができる。
【符号の説明】
【００４９】
１  サドルバンド
２  基台部
２１  第１蟻溝
２２  取付孔
２３  固定端部
３  抱持部
３０  台座部
３１  略Ｃ字状バンド部
３２  第１蟻ほぞ
３３  第２蟻溝
４  固定保持部
４１  凹部
４２  凸部
５  補完抱持部
５１  補完バンド部
５２  第２蟻ほぞ
６  固定保持部
６１  凹部
６２  凸部
Ｐ  配管
【図１】
2020003001.tif 000003
【図２】
2020003001.tif 000004
【図３】
2020003001.tif 000005
【図４】
2020003001.tif 000006
【図５】
2020003001.tif 000007
【図６】
2020003001.tif 000008
【図７】
2020003001.tif 000009
【図８】
2020003001.tif 000010
【図９】
2020003001.tif 000011
【図１０】
2020003001.tif 000012
【図１１】
2020003001.tif 000013
【図１２】
2020003001.tif 000014